(57)【要約】【課題】１枚で高い正面輝度を有し、かつ、広視野角を実現できるレンズシートを提供する。【解決手段】バックライトに用いられるレンズシート１７は、ベースフィルム２１と、レンチキュラレンズ層２２と、プリズム層２３と、充填層２４とを備える。レンチキュラレンズ層２２は、ベースフィルム２１の表面２１１上に形成され、複数のシリンドリカルレンズ２２０を備える。プリズム層２３は、ベースフィルム２１の表面２１２上に形成され、シリンドリカルレンズ２２０の並設方向と同じ方向に並設された複数のプリズム２３０を含み、ベースフィルム２１よりも低い屈折率を有する。充填層２４は、プリズム２３０が並設された表面上に充填され、プリズム層２３の屈折率よりも高い屈折率を有する。【選択図】図３
2009103763.tif 000002
【特許請求の範囲】
【請求項１】
バックライトに用いられるレンズシートであって、
ベースフィルムと、
前記ベースフィルムの一方の表面上に形成され、互いに並設された複数のシリンドリカルレンズを含むレンチキュラレンズ層と、
前記ベースフィルムの他方の表面上に形成され、前記複数のシリンドリカルレンズの並設方向と略同じ方向に並設された複数の第１のプリズムを含み、前記ベースフィルムよりも低い屈折率を有するプリズム層と、
前記プリズム層の前記第１のプリズムが並設された表面上に充填され、前記プリズム層の屈折率よりも高い屈折率を有する充填層とを備えることを特徴とするレンズシート。
【請求項２】
請求項１に記載のレンズシートであって、
前記充填層は、各々が、隣り合う前記第１のプリズムの間に充填される複数の第２のプリズムを備え、
前記第２のプリズムの稜線は、前記第２のプリズムの幅方向に蛇行していることを特徴とするレンズシート。
【請求項３】
請求項１に記載のレンズシートであって、
前記複数の第１のプリズム及び／又は複数のシリンドリカルレンズのピッチは、不均一であることを特徴とするレンズシート。
【請求項４】
請求項１に記載のレンズシートであって、
前記充填層は、
樹脂と、
前記樹脂内に分散され、前記樹脂と異なる屈折率を有する複数の粒子とを含むことを特徴とするレンズシート。
【請求項５】
正面に開口部を有する筐体と、
前記筐体内に格納され、互いに並設される複数の線光源と、
前記開口部上に敷設される拡散板と、
前記拡散板上に敷設されるレンズシートとを備え、
前記レンズシートは、
ベースフィルムと、
前記ベースフィルムの一方の表面上に形成され、互いに並設された複数のシリンドリカルレンズを備えるレンチキュラレンズ層と、
前記ベースフィルムの他方の表面上に形成され、前記複数のシリンドリカルレンズの並設方向と略同じ方向に並設された複数の第１のプリズムを含み、前記ベースフィルムの屈折率よりも低い屈折率を有するプリズム層と、
前記プリズム層の前記第１のプリズムが並設された表面上に充填され、前記プリズム層の屈折率よりも高い屈折率を有する充填層とを備えることを特徴とするバックライト。
【請求項６】
請求項５に記載のバックライトと、
前記バックライト上に敷設される液晶パネルとを備えることを特徴とする液晶表示装置。
【発明の詳細な説明】
【技術分野】
【０００１】
本発明は、レンズシート、それを用いたバックライト及び液晶表示装置に関する。さらに詳しくは、正面輝度を向上する機能を有し、バックライトに用いられるレンズシート、それを用いたバックライト及び液晶表示装置に関する。
【背景技術】
【０００２】
ディスプレイに代表される液晶表示装置は、正面輝度の向上を求められる。そのため、ディスプレイに利用されるバックライトには、面光源からの光線を正面に集光して正面輝度を向上するレンズシートが敷設される。このようなレンズシートとして、一般的には、特許第３２６２２３０号に開示されているようなプリズムシートが使用される。
【０００３】
図２１及び図２２を参照して、従来のプリズムシート１００は、互いに並設された複数の柱状のプリズムＰＬを表面に備える。プリズムシート１００の屈折率は、１．５〜１．６程度である。面光源からの拡散光Ｒ１００はプリズムのＰＬの表面で屈折し、正面に偏向されて出射する。このように、プリズムシート１００は、拡散光を正面に集光させることにより、ディスプレイの正面輝度を向上する。
【０００４】
上述のとおり、プリズムシート１００は正面輝度を向上するものの、正面斜め方向の輝度も高くしてしまう。図２３は、液晶表示装置の表示画面の上下方向に並設された複数の蛍光灯を備えたバックライト上に、プリズムの並設方法が蛍光灯の並設方向と同じとなるようにプリズムシートを敷設した場合の輝度の視野角依存性を示すグラフである。図中の破線は表示画面の上下方向の輝度の視野角依存性を示し、図中の実線が左右方向の輝度の視野角依存性を示す。なお、図中の横軸は視野角を示し、縦軸はプリズムシートを敷設していない液晶表示装置の正面輝度を基準とした相対輝度を示す。
【０００５】
図２３を参照して、上下方向、左右方向ともに、視野角０ｄｅｇを中心に所定の視野角（上下方向で約±３０ｄｅｇ、左右方向で約±５０ｄｅｇ）までは輝度がほぼ一定である。しかしながら、所定の視野角を越えると、上下方向及び左右方向ともに輝度が急速に低下する。さらに、上下方向では、視野角が±５０ｄｅｇを越えると、輝度が再び上昇し、いわゆるサイドローブが出現する。このような急激な輝度の低下やサイドローブは液晶表示装置の表示画面を見るユーザに違和感を与える。そのため、輝度は、視野角０ｄｅｇ（つまり、表示画面の法線方向）をピークとして視野角の広がりとともに徐々に低下する、自然な配向分布となるのが好ましい。
【０００６】
このような不自然な輝度の視野角特性を解消するために、最近では、２枚の拡散シートが積層されたバックライトを用いた液晶表示装置が登場している。この場合、輝度の視野角依存性は、視野角０ｄｅｇを輝度のピークとして視野角の広がりとともに徐々に輝度が低下する自然な配向分布となる。また、２枚の拡散シートを用いるため、高い正面輝度が得られる。
【０００７】
しかしながら、輝度の視野角依存性の分布幅は狭くなる。液晶表示装置を利用するユーザは、上下斜め方向よりも左右斜め方向から表示画面を見る機会が多い。そのため、左右方向は特に、広視野角である方が好ましい。具体的には、ＩＰＳ方式の液晶パネルを含む液晶表示装置の左右方向の輝度の視野角依存性において、正面輝度の１／３以上となる輝度の視野角範囲（以下、１／３視野角という）が１２０ｄｅｇ以上であるのが好ましい。
【０００８】
また、面光源上に２枚の拡散シートを重ねなければならず、製造工程が煩雑になる。
【０００９】
さらに、バックライトが、互いに並設された複数の線光源を含む場合、輝度ムラが発生する場合がある。輝度ムラは、表示画面を見るユーザに違和感を与える。そのため、輝度ムラの発生は抑制される方が好ましい。
【特許文献１】特許第３２６２２３０号
【特許文献２】特願２００６−１２６８３９号（同一出願人の未公開先願）
【発明の開示】
【発明が解決しようとする課題】
【００１０】
本発明の目的は、１枚で高い正面輝度を有し、かつ、広視野角を実現できるレンズシートを提供することである。
【００１１】
本発明の他の目的は、輝度ムラを抑制できるレンズシートを提供することである。
【課題を解決するための手段及び発明の効果】
【００１２】
本発明によるレンズシートは、バックライトに用いられる。レンズシートは、ベースフィルムと、レンチキュラレンズ層と、プリズム層と、充填層とを備える。レンチキュラレンズ層は、ベースフィルムの一方の表面上に形成され、互いに並設された複数のシリンドリカルレンズを備える。プリズム層は、ベースフィルムの他方の表面上に形成され、複数のシリンドリカルレンズの並設方向と略同じ方向に並設された複数の第１のプリズムを含み、ベースフィルムよりも低い屈折率を有する。充填層は、プリズム層の第１のプリズムが並設された表面上に充填され、プリズム層の屈折率よりも高い屈折率を有する。ここで、ベースフィルムは、フィルム状やシート状であってもよく、板状であってもよい。
【００１３】
本発明によるレンズシートでは、入射された光線を段階的に集光する。充填層の屈折率がプリズム層の屈折率よりも高いため、充填層に入射された拡散光は、プリズム表面で屈折し、正面に集光される。次に、ベースフィルムの屈折率がプリズム層の屈折率よりも高いため、プリズム層からベースフィルムに入射された光線は、ベースフィルムの表面で屈折し、より正面に集光される。さらに、ベースフィルムから出射された光線はレンチキュラレンズ層に入射され、シリンドリカルレンズの凸面上で屈折し、より正面に集光されて出射される。このように、本発明のレンズシートは、プリズムとシリンドリカルレンズとを備え、かつ、プリズム層の屈折率をベースフィルム及び充填層の屈折率よりも小さくすることにより、入射された光線をレンズシート内部で段階的に集光させることができる。そのため、１枚で高い正面輝度を得ることができる。
【００１４】
さらに、本発明によるレンズシートは、複数のプリズムを含んでいても、サイドローブの発生を抑制できる。サイドローブの発生を抑制できる理由としては、以下の事項が考えられる。プリズムシートにおけるサイドローブは、プリズムシートの法線に対して広角度で出射される光（以下、サイドローブ光という）により形成される。このようなサイドローブ光は、プリズムの表面（２つの側面）のうちの一方の側面で全反射された光線が、他方の側面で透過して出射される。本発明のレンズシートでは、充填層が、プリズム層の複数のプリズム間に充填されている。つまり、充填層の表面上にも複数のプリズムが形成されている。プリズム層の屈折率は充填層よりも小さいものの、空気の屈折率よりも大きい。そのため、充填層上のプリズム表面では、従来のプリズムシートよりも臨界角が大きくなる。したがって、充填樹脂層上のプリズムの側面で光線が全反射される割合が減少し、サイドローブの発生が抑制される。
【００１５】
また、本発明のレンズシートの表面に形成されるシリンドリカルレンズでは、プリズムのように一方の側面で全反射された光が他方の側面で透過されるということが少なく、一度全反射された光が再びレンズ凸面に入射された場合、再び全反射される場合が多い。そのため、レンズシート法線に対して広角度で出射されるサイドローブ光を抑えることができる。
【００１６】
さらに、本発明のレンズシートは、シリンドリカルレンズの並設方向と第１のプリズムの並設方向とが略同じである。そのため、シリンドリカルレンズ及び第１のプリズムの長手方向における輝度の視野角依存性は、幅の広い分布を示し、広視野角となる。また、シリンドリカルレンズの並設方向と第１のプリズムの並設方向とが略同じであるため、輝度ムラの発生を抑制できる。
【００１７】
ここで、シリンドリカルレンズの並設方向と第１のプリズムの並設方向は厳密に同じである必要はなく、ほぼ同じであればよい。具体的には、本発明の効果を奏する程度に同じであればよい。
【００１８】
好ましくは、充填層は、各々が、隣り合う第１のプリズムの間に充填される複数の第２のプリズムを備え、第２のプリズムの稜線は、第２のプリズムの幅方向に蛇行している。
【００１９】
この場合、シリンドリカルレンズの配列と第２のプリズムの配列と起因したモアレの発生を抑制できる。
【００２０】
好ましくは、複数の第１のプリズム及び／又は複数のシリンドリカルレンズのピッチは、不均一である。
【００２１】
第１のプリズムのピッチが一定であり、かつ、シリンドリカルレンズのピッチが一定である場合、つまり、第１のプリズム及びシリンドリカルレンズが規則的に配列されている場合、第１のプリズムのピッチとシリンドリカルレンズのピッチとが一定周期で同期することによりモアレが発生する。第１のプリズム及び／又はシリンドリカルレンズの配列ピッチが不均一であれば、シリンドリカルレンズ２２０のピッチとプリズム２４０のピッチとが一定周期で同期しにくくなるため、モアレの発生を抑制できる。
【００２２】
好ましくは、充填層は、樹脂と、複数の粒子とを含む。複数の粒子は、樹脂内に分散され、樹脂と異なる屈折率を有する。
【００２３】
この場合、充填層に入射した光は充填層内で拡散して、プリズム層に入射する。そのため、モアレの発生を抑制できる。
【００２４】
本発明によるバックライトは、上述のレンズシートを備える。また、本発明による表示装置は、上記バックライトを備える。本発明による液晶表示装置は、上述のバックライトと、バックライト上に敷設される液晶パネルとを備える。
【発明を実施するための最良の形態】
【００２５】
以下、本発明の実施の形態を図面を参照して詳しく説明する。図中同一又は相当部分には同一符号を付してその説明を援用する。
［全体構成］
図１及び図２を参照して、液晶表示装置１は、バックライト１０と、バックライト１０の正面に敷設される液晶パネル２０とを備える。バックライト１０は、拡散光を出射する面光源１６と、面光源１６上に敷設されたレンズシート１７とを備える。
［面光源］
面光源１６は、ハウジング１１と、線光源である複数の蛍光管１２と、光拡散板１３とを備える。ハウジング１１は、正面に開口部１１０を有する筐体であり、内部に蛍光管１２を収納する。ハウジング１１の内面は、反射フィルム１１１で覆われている。反射フィルム１１１は、蛍光管１２から出射された光を乱反射させ、開口部１１０に導く。反射フィルム１１１は、たとえば東レ製ルミラー（登録商標）Ｅ６０ＬやＥ６０Ｖであり、拡散反射率が９５％以上であるものが好ましい。
【００２６】
複数の蛍光管１２は、ハウジング１１の背面手前に上下方向（図１中ｙ方向）に並設される。蛍光管１２は左右方向（図１中ｘ方向）に伸びた線光源であり、たとえば冷陰極管やＥＥＦＬ（External Electrode Fluorescent Lamp）である。なお、蛍光管１２とともに、ＬＥＤ（Light Emitting Device）等の複数の点光源がハウジング１１内に収納されてもよい。また、収納された複数のＬＥＤが線状に配列されることにより、擬似的な線光源が形成されてもよい。
【００２７】
光拡散板１３は、開口部１１０に嵌め込まれ、ハウジング１１の背面と並行して配設される。光拡散板１３を開口部１１０に嵌め込むことによりハウジング１１の内部は密閉される。そのため、蛍光管１２からの光が光拡散板１３以外の箇所からハウジング１１外へ漏れるのを防止でき、光の利用効率が向上される。
【００２８】
光拡散板１３は、蛍光管１２からの光及び反射フィルム１１１で反射された光を拡散して正面に出射する。光拡散板１３は、透明な基材と、基材内に分散された複数の粒子とで構成される。基材内に分散される粒子は、可視光領域の波長の光に対する屈折率が基材と異なるため、光拡散板１３に入射した光は拡散透過される。光拡散板１３の基材は、たとえば、ガラスや、ポリエステル系樹脂、ポリカーボネート系樹脂、ポリアクリル酸エステル系樹脂、脂環式ポリオレフィン系樹脂、ポリスチレン系樹脂、ポリ塩化ビニル系樹脂、ポリ酢酸ビニル系樹脂、ポリエーテルスルホン酸系樹脂、トリアセチルセルロース系樹脂等の樹脂である。光拡散板１３はまた、レンズシート１７の支持体として機能する。
［レンズシート］
図３及び図４を参照して、レンズシート１７は、ベースフィルム２１と、ベースフィルム２１の一方の表面２１１上に形成されたレンチキュラレンズ層２２と、ベースフィルム２１の他方の表面２１２上に形成されたコリメート層２５とを備える。これらは一体的に形成されている。
【００２９】
ベースフィルム２１は、可視光領域の波長に対して透明である。ベースフィルム２１は、たとえば、ガラスや、ポリエステル系樹脂、ポリカーボネート系樹脂、ポリアクリル酸エステル系樹脂、脂環式ポリオレフィン系樹脂、ポリスチレン系樹脂、ポリ塩化ビニル系樹脂、ポリ酢酸ビニル系樹脂、ポリエーテルスルホン酸系樹脂、トリアセチルセルロース系樹脂等の樹脂で構成される。ベースフィルム２１の表面２１１及び２１２はともに平坦である。また、ベースフィルム２１は、フィルム状またはシート状であってもよく、板状であってもよい。
【００３０】
レンチキュラレンズ層２２は、表面２１１上に形成される。レンチキュラレンズ層２２は、互いに並設された複数のシリンドリカルレンズ２２０を備える。シリンドリカルレンズ２２０は、液晶表示装置１の画面の上下方向（図１中のｙ方向）に並設される。換言すれば、シリンドリカルレンズ２２０は、ハウジング１１内の複数の蛍光管１２の並設方向と同じ方向に並設される。
【００３１】
図３及び図４に示すシリンドリカルレンズ２２０の凸面２２１の横断形状は円弧であるが、図５Ａに示すように楕円弧であってもよいし、図５Ｂに示すようにシリンドリカルレンズのエッジ近傍が直線である弓状であってもよい。
【００３２】
コリメート層２５は、充填層２４と、プリズム層２３とで構成される。プリズム層２３は、ベースフィルム２１の表面２１２上に形成され、互いに並設された複数のプリズム２３０を備える。
【００３３】
充填層２４は、プリズム層２３のプリズム２３０が並設された表面上に充填される。充填層２４のうち、複数のプリズム２３０間に充填された部分は、プリズム２４０を構成する。プリズム２３０が互いに並設されているため、複数のプリズム２４０も互いに並設されている。プリズム２４０が並設された表面と反対側の表面２４３は平坦である。表面２４３は、面光源１６と対向する。
【００３４】
プリズム２３０及び２４０は、液晶表示装置１の画面の上下方向（図１中のｙ方向）に並設される。つまり、シリンドリカルレンズ２２０の並設方向はプリズム２３０及び２４０の並設方向と同じである。プリズム２３０及び２４０で構成されるコリメート層２５の上に、レンチキュラレンズ層２２が形成されるため、輝度の視野角特性においてサイドローブが出現せず、正面をピークとして視野角が大きくなるに従い輝度が低くなる自然な配光分布を形成する。また、シリンドリカルレンズ２２０とプリズム２３０、２４０の並設方向は同じ上下方向であるため、左右方向の輝度角度分布の幅が広くなり、かつ、輝度ムラの発生を抑制できる。
【００３５】
レンチキュラレンズ層２２、プリズム層２３、及び充填層２４は、樹脂で構成される。より具体的には、レンチキュラレンズ層２２及びプリズム層２３は、電離放射線硬化樹脂で構成される。電離放射線硬化樹脂とは、紫外線や電子線等の電離放射線により硬化する樹脂であり、たとえば、ポリエステル系アクリレート樹脂、ウレタン系アクリレート樹脂、ポリエーテル系アクリレート樹脂、エポキシ系アクリレート樹脂、ポリエステル系メタクリレート樹脂、ウレタン系メタクリレート樹脂、ポリエーテル系メタクリレート樹脂、エポキシ系メタクリレート樹脂である。充填層２４は、電離放射線硬化樹脂で構成されてもよいし、ポリカーボネ−ト、ポリスチレン等の他の樹脂で構成されてもよい。
［レンズシート内の各層の屈折率］
プリズム層２３の屈折率ｎ２３は、充填層２４の屈折率ｎ２４と以下の式（１）の関係を有し、ベースフィルム２１の屈折率ｎ２１と以下の式（２）の関係を有する。
【００３６】
ｎ２３＜ｎ２４  （１）
ｎ２３＜ｎ２１  （２）
要するに、屈折率ｎ２３は屈折率ｎ２４及び屈折率ｎ２１よりも小さい。なお、プリズム層２３は上述のとおり樹脂で構成されるため、その屈折率ｎ２３は空気の屈折率ｎａ＝１．０よりも大きい。
【００３７】
充填層２４の屈折率ｎ２４は、プリズム層２３の屈折率ｎ２３よりも大きいため、コリメート層２５は、充填層２４に入射される光線を正面にコリメートしてベースフィルム２１に出射する。屈折率ｎ２４を大きくすれば、充填層２４の下面２４３での光線の屈折角が大きくなる。下面２４３でコリメートされた光線がプリズム２４０の表面に達してさらに正面にコリメートされる。そのため、屈折率ｎ２４が大きい方が、正面輝度がより向上する。充填層２４の好ましい屈折率ｎ２４は、１．５＜ｎ２４≦１．８である。ただし、屈折率ｎ２４が１．５以下であっても、屈折率ｎ２３よりも大きければ、本発明の効果をある程度奏することができる。
【００３８】
プリズム層２３の屈折率は、充填層２４の屈折率よりも小さいが、空気の屈折率ｎａ＝１．０よりも大きい。そのため、コリメート層２５内のプリズム２４０の表面に入射された光線の臨界角が大きくなる。臨界角が大きくなれば、充填層２４に入射された光線が全反射する割合が減少するため、サイドローブ光の出射を抑制できる。この点については後述する。プリズム層２３の好ましい屈折率ｎ２３は、１．３≦ｎ２３≦１．５である。ただし、屈折率ｎ２３が上述の範囲外であっても、屈折率ｎ２３が式（１）及び（２）を満たせば、本発明の効果をある程度奏することができる。
【００３９】
ベースフィルム２１の屈折率ｎ２１は、屈折率ｎ２３よりも大きい。そのため、コリメート層２５で正面に集光された光は、ベースフィルム２１の表面２１２に入射されたとき、さらに正面にコリメートされる。そのため、ベースフィルム２１は正面輝度の向上に寄与する。
【００４０】
以上の構成を有するレンズシート１７は、サイドローブの発生を抑制し、かつ、左右方向が広視野角となる。また、２枚の拡散シートを積層した場合と同程度の高い正面輝度を有する。また、輝度ムラが抑制される。以下、これらの効果について詳述する。
［サイドローブの抑制］
レンズシート１７は、コリメート層２５及びレンチキュラレンズ層２２により上下視野角におけるサイドローブの発生を抑制する。
【００４１】
コリメート層２５がサイドローブを抑制する理由は必ずしも定かではないが、主として以下に示す事項が起因していると推測される。
【００４２】
まず、従来のプリズムシートにおけるサイドローブの発生機構について説明する。図６Ａにおいて、従来のプリズムシート１００上のプリズムＰＬに入射される光線の中には、プリズムＰＬの一方の側面ＢＰ１で全反射した後、他方の側面ＢＰ２で透過して外部に出射する光線Ｒ２があり、この光線Ｒ２がサイドローブを形成する。
【００４３】
具体的には、面光源１６の出射面の法線ｎ０（バックライト正面）から角度θ０の方向に出射された光線Ｒ０がプリズムＰＬの側面ＢＰ１に達する。光線Ｒ０の入射角θｉ１が臨界角θｃ１よりも大きい場合、光線Ｒ０は全反射し、光線Ｒ１としてプリズムＰＬ内を伝播する。光線Ｒ１が側面ＢＰ２に達したとき、その入射角θｉ２が臨界角θｃ１よりも小さければ、光線Ｒ１は、法線ｎ０（正面）に対して広角度をなすサイドローブ光Ｒ２として外部に出射される。
【００４４】
これに対し、コリメート層２５は、サイドローブ光の発生を抑制する。図６Ｂを参照して、コリメート層２５内は式（１）の関係を満たすプリズム層２３と充填層２４とで構成され、複数のプリズム２３０の間には、プリズム２４０が充填されている。
【００４５】
ここで、充填層２４の屈折率ｎ２４がプリズムシート１００の屈折率ｎ１００と同じであると仮定する。この場合、充填層２４からプリズム層２３に光線が入射するときの相対屈折率は、プリズムシート１００から空気に光線が入射するときの相対屈折率よりも小さくなる。なぜなら、樹脂で構成されるプリズム層２３の屈折率ｎ２３は、空気の屈折率（＝１．０）よりも大きいためである。
【００４６】
相対屈折率が小さくなるため、コリメート層２５内でのプリズム２４０の表面２４１及び２４２における臨界角θｃ０は、プリズムシート１００のプリズムＰＬの表面ＢＰ１及びＢＰ２における臨界角θｃ１よりも大きくなる。その結果、プリズム２４０の表面では、全反射される光線Ｒ０の割合が減少し、サイドローブ光Ｒ２の出射を抑制できると考えられる。
【００４７】
また、レンズシート１７内のレンチキュラレンズ層２２がサイドローブ光の出射を抑制できる理由は、必ずしも定かではないが、主として以下の理由によるものと推測される。図６Ｃを参照して、図６Ａと同じ角度θ０で入射された光線Ｒ０は、シリンドリカルレンズ２２０の凸面２２１上の境界面ＢＰ３に達する。光線Ｒ０の入射角θｉ１が臨界角θｃ２よりも大きい場合、光線Ｒ０は全反射し、凸面上の境界面ＢＰ４に達する。このとき光線Ｒ０の入射角θｉ２は臨界角θｃ２よりも大きくなる場合が多い。そのため、光線Ｒ０は再び全反射して面光源１６へと戻る。要するに、シリンドリカルレンズ２２０では、一度全反射した光線は、その後透過して外部へ出射するよりも、再び全反射して面光源へ戻る方が多くなる。そのため、サイドローブ光Ｒ２の出射を抑え、輝度角度分布でのサイドローブの発生を抑制できる。
【００４８】
以上の推定される理由により、レンズシート１７は、上下視野角におけるサイドローブの発生を抑制する。その結果、視野角０ｄｅｇをピークに視野角の広がりとともに輝度が徐々に低下する自然な配向分布を示す輝度の視野角依存性が得られる。
［広視野角の実現］
レンズシート１７のシリンドリカルレンズ２２０、プリズム２３０及びプリズム２４０は、いずれも蛍光管１２の並設方向と同じ方向に並設される。そのため、上下方向（図中ｙ方向）に比べて、左右方向（図中ｘ方向）の光は集光されにくい。その結果、左右方向の輝度角度特性において、広視野角を実現できる。
【００４９】
図７に、レンズシート１７の輝度角度依存性の一例を示す。図７の横軸は視野角である。視野角は表示画面の法線方向（正面）を０ｄｅｇ軸とし、０ｄｅｇ軸から上下方向への傾き角を上下視野角、０ｄｅｇ軸から左右方向への傾き角を左右視野角とする。左右視野角のうち、法線から右方向への傾き角（視野角）をプラス（＋）で示し、法線から左方向への傾き角（視野角）をマイナス（−）で示す。同様に、上下視野角のうち、法線から上方向への傾き角（視野角）をプラス（＋）で示し、法線から下方向への傾き角（視野角）をマイナス（−）で示す。図１３の縦軸は、面光源の正面輝度を基準（１．０）に対する各視野角での輝度の比である相対輝度（ａ．ｕ．）を示す。図７中の実線が左右方向の輝度の視野角依存性を示し、破線が上下方向の輝度の視野角依存性を示す。
【００５０】
図７を参照して、レンズシート１７の輝度角度依存性は、上下方向及び左右方向ともに視野角０ｄｅｇをピークとし、視野角の広がりとともに輝度が徐々に低下する自然な配向分布を示す。
【００５１】
さらに、左右方向の輝度角度依存性は、上下方向よりも広がりを有する。より具体的には、ＩＳＰ方式の液晶パネルを含む液晶表示装置に用いた場合、正面輝度の１／３以上の輝度となる視野角範囲が１２０ｄｅｇ（−６０ｄｅｇ〜＋６０ｄｅｇ）以上となる。液晶表示装置のユーザは、上下斜め方向から表示画面を見る機会よりも、左右斜め方向から表示画面を見る機会の方が多い。本実施の形態では、左右方向の輝度角度依存性が広視野角である。そのため、ユーザは斜め方向から表示画面を見ても、輝度の極端な変動を感じにくく、違和感なく表示画面を見ることができる。
［正面輝度の向上］
レンズシート１７では、下面から入射された光を、コリメート層２５、ベースフィルム２１、及びレンチキュラレンズ層２２の各々で正面に集光する。そのため、１枚で正面輝度をより向上できる。
【００５２】
コリメート層２５内の充填層２４の屈折率ｎ２４は、プリズム層２３の屈折率ｎ２３よりも大きい。そのため、コリメート層２５は、面光源からの拡散光を正面に集光してベースフィルム２１に出射する。
【００５３】
ベースフィルム２１の屈折率ｎ２１はプリズム層２３の屈折率ｎ２３よりも大きい。そのため、コリメート層２５からベースフィルム２１に入射された光線は、ベースフィルム２１の下面で屈折し、さらに正面に集光されてレンチキュラレンズ層２２に出射される。
【００５４】
レンチキュラレンズ層２２は、凸面２２１の形状により、入射された光線をさらに正面に集光し、外部に出射する。
【００５５】
以上のとおり、レンズシート１７では、コリメート層２５、ベースフィルム２１及びレンチキュラレンズ層２２の各々が、入射された光線を正面にコリメートする。そのため、レンズシート１７は、１枚で正面輝度をより向上できる。
［輝度ムラの防止］
上述の通り、複数の蛍光管１２が上下方向に並設される場合、上下方向で輝度ムラが発生しやすい。具体的には、蛍光管１２直上部分で輝度が最も高く、隣り合う蛍光管１２の間の中間部分で輝度が最も低くなりやすい。
【００５６】
しかしながら、本実施の形態によるレンズシート１７では、プリズム２３０及びプリズム２４０の並設方向は、面光源１６内の複数の蛍光管１２の並設方向と同じであり、かつ、シリンドリカルレンズ２２０の並設方向も、蛍光管１２の並設方向と同じである。そのため、レンズシート１７は、上下方向（図１中のｙ方向）の光をより集光して正面に出射する。そのため、輝度ムラの発生を抑制できる。
［モアレの防止］
プリズム２３０、プリズム２４０及びシリンドリカルレンズ２２０が互いに同じ方向に配列される場合、これらのレンズの配列ピッチが一定であれば、モアレが発生しやすくなる。
【００５７】
そこで、好ましくは、プリズム２３０の配列ピッチ及び／又はシリンドリカルレンズ２２０の配列ピッチを不均一にする。たとえば、図８に示すように、隣り合うプリズム２３０の稜線間距離ＰｎとＰｎ＋１（ｎ＝１〜６）が互いに異なるように、同一の頂角を有する複数のプリズム２３０を配列する。モアレは、シリンドリカルレンズ２２０のピッチが一定であり、かつ、プリズム２３０及び２４０の配列ピッチが一定である場合に、シリンドリカルレンズ２２０のピッチとプリズム２３０及び２４０のピッチとが一定周期で同期することにより発生する。そのため、プリズム２３０及び／又はシリンドリカルレンズ２２０の配列ピッチが不均一であれば、シリンドリカルレンズ２２０のピッチとプリズム２３０のピッチとが一定周期で同期しにくくなるため、モアレの発生を抑制できる。
【００５８】
また、図９Ａ及び図９Ｂに示すように、コリメート層２５を上方から見た場合、隣り合うプリズム２４０のピッチは同じであるが、プリズム２４０の稜線が直線ではなく、プリズム２４０の幅方向に蛇行していてもよい。この場合も、シリンドリカルレンズ２２０のピッチとプリズム２４０のピッチとが一定周期で同期しにくくなるため、モアレの発生を抑制できる。なお、図９Ａ及び図９Ｂにおいてさらに、プリズム２４０の高さが軸方向で変化してもよい。
【００５９】
図１０に示すように、プリズム２３０のピッチは、シリンドリカルレンズ２２０のピッチよりも小さい方が好ましい。プリズム２３０は、低屈折率の樹脂で構成されるが、低屈折率の樹脂は製造コストが高い。そのため、プリズム層２３はできるだけ少量の樹脂により形成されるのが好ましい。プリズム層２３内のプリズム２３０のピッチをシリンドリカルレンズ２２０のピッチよりも小さくすれば、シリンドリカルレンズ２２０とプリズム２３０のピッチが同期する周期が長くなるため、モアレの発生をある程度抑制できる。
【００６０】
さらに、レンズシート１７の最下層である充填層２４内に、充填層２４を構成する樹脂の屈折率と異なる屈折率を有する粒子を含有してもよい。図１１を参照して、充填層２４は、透明な樹脂２４４と、樹脂内に分散された複数の粒子（フィラ）２４５とで構成される。フィラ２４５は、樹脂と異なる屈折率を有する。
【００６１】
充填層２４の内部に入射された光は、フィラ２４５によりある程度拡散され、プリズム層２３に出射される。そのため、輝度ムラ及びモアレの発生を抑制できる。
【００６２】
フィラ２４５は、有機物で構成されてもよいし、無機物で構成されてもよい。フィラ２４５は、たとえば、炭酸カルシウム、硫酸バリウム、酸化チタン、シリコーン系微粒子、アクリル系微粒子、スチレン系微粒子、ＭＳ系微粒子、ガラス系微粒子などである。これらは、単独で使用されてもよいし、併用されていてもよい。フィラ２４５の粒径は特に制限されないが、過剰に大きいと、充填層２４の形成が困難になる。また、過剰に小さいと拡散効果が少ない。好ましいフィラ２４５の粒径は、０．５μｍ〜１０μｍである。また、フィラ２４５を過剰に含有すれば、レンズシート１７の正面輝度が低下する。そのため、好ましいフィラ２４５の含有量は、樹脂１００重量部に対して０．１〜３０重量部である。
［製造方法］
レンズシート１７の製造方法の一例として、ロール版を用いたロールトゥロール方式による製造方法について説明する。
【００６３】
はじめに、ベースフィルム２１の表面２１２にコリメート層２５を形成する。表面にフィルム状のベースフィルム２１を巻いた円筒状の第１ロールと、図１２Ａ及び図１２Ｂに示すように、プリズム２３０の転写用溝５２を表面に有するプリズム用ロール版５０（以下、単にロール版５０という）とを準備する。転写用溝５２の横断面形状は、プリズム２３０の横断形状と同じであり、転写用溝５２の縁部（フランジ部）に相当する凸条５３の横断形状は、プリズム２４０の横断形状と同じである。転写用溝５２はロール軸方向に並設される。なお、図９Ａに示すように、プリズム２４０の稜線を蛇行させる場合、転写用溝５２の断面は図１２Ｂのように凸条５３の高さが一定ではなく、たとえば、図１２Ｃで示すように、転写用溝５２のピッチＰ０は図１２Ｂと同じであっても、転写用溝５２の深さが異なる部分を設ける。つまり、転写用溝５２の谷部の角度（頂角）は一定とし、その深さを転写用溝５２の長手方向で変化させる。この場合、プリズム２４０の稜線は、転写用溝５２の凸条５３の頂上に相当するため、形成されたプリズム２４０の稜線はプリズム２４０の幅方向に蛇行した波状の曲線となる。
【００６４】
第１ロールの軸方向がロール版５０の軸方向と平行になるように、第１ロール及びロール版５０を配置する。配置後、ベースフィルム２１の屈折率ｎ２１よりも低い屈折率ｎ２３を有する電離放射線硬化樹脂を、ロール版５０の表面に充填する。第１ロール及びロール版５０を回転させながら、充填された電離放射線硬化樹脂を、第１ロールから送り出されたベースフィルム２１上に転写する。このとき、ベースフィルム２１を挟んでロール版５０と対向して配置されるバックアップロールと、ロール版５０とで、ベースフィルム２１を挟みながら転写する。転写された電離放射線硬化樹脂に電離放射線を照射して電離放射線硬化樹脂を硬化し、プリズム層２３を形成する。
【００６５】
プリズム層２３を形成後、プリズム層２３上に充填層２４を形成する。まず、表面が平滑なロール版を準備する。次に、屈折率ｎ２３よりも高い屈折率ｎ２４を有する電離放射線硬化樹脂をロール版に塗布する。表面に電離放射線硬化樹脂が塗布されたロール版をプリズム層２３のプリズム２３０が形成された表面に押し当てて、電離放射線硬化樹脂を転写する。そして、電離放射線を照射することにより、転写された電離放射線硬化樹脂を硬化させ、充填層２４を形成する。
【００６６】
充填層２４は、上述の方法に代えて、次の方法で製造してもよい。まず、プリズム層２３の屈折率ｎ２３よりも高い屈折率ｎ２４を有する樹脂を溶剤に溶解した塗料を準備する。グラビアコータ等を用いて、準備した塗料をプリズム層２３上に均一に塗布する。塗布された塗料を乾燥し、充填層２４を形成する。
【００６７】
以上の工程により、ベースフィルム２１の表面２１２にコリメート層２５が形成される。コリメート層２５が形成されたベースフィルム２１の軸方向に並設されている。
【００６８】
次に、ベースフィルム２１の表面２１１にレンチキュラレンズ層２２を形成する。図１３Ａ及び図１３Ｂに示すレンチキュラレンズ用ロール版６０（以下、単にロール版６０という）を準備し、その軸方向が第２ロールの軸方向と平行となるように配置する。図１３Ａ及びＢに示すように、ロール版６０の表面には、軸方向に並設されたシリンドリカルレンズ２２０の転写用溝６２が形成されている。
【００６９】
ロール版６０の転写用溝６２に電離放射線硬化樹脂を充填する。第２ロール及びロール版６０を回転させながら、充填された電離放射線硬化樹脂を、第２ロールから送り出されたベースフィルム２１の表面２１１に転写する。このとき、バックアップロールによりフィルムを挟みながら転写する。転写された電離放射線硬化樹脂に電離放射線を照射して硬化させ、レンチキュラレンズ層２２を形成する。以上の工程によりレンズシート１７が形成される。
【００７０】
上述の製造方法では、はじめにコリメート層２５を形成し、次にレンチキュラレンズ層２２を形成したが、はじめにレンチキュラレンズ層２２を形成し、次にコリメート層２５を形成してもよい。
【００７１】
以上、製造方法の一例として、ロール版を用いたロールトゥロール方式による製造方法を説明したが、他の製造方法によってもレンズシート１７を製造できる。ロールトゥロール方式ではなく、板状の版を用いてコリメート層２５及びレンチキュラレンズ層２２を形成してもよい。また、レンチキュラレンズ層２２は、押し出し法や、熱プレス法、射出形成法により形成してもよい。
【００７２】
以上、本実施の形態によるレンズシート１７は、プリズム層２３の屈折率ｎ２３、充填層２４の屈折率ｎ２４、及びベースフィルム２１の屈折率ｎ２１を式（１）及び（２）を満たす関係とすることにより、正面輝度を向上でき、かつ、サイドローブの発生を抑制できる。
【００７３】
さらに、シリンドリカルレンズ２２０と並設方向とプリズム２３０の並設方向がほぼ同じであるため、左右方向の輝度角度依存性を広視野角にすることができる。具体的には、ＩＳＰ方式の液晶パネルを含む液晶表示装置に用いた場合の１／３視野角を１２０ｄｅｇ以上とすることができる。ここで、シリンドリカルレンズ２２０の並設方向とプリズム２３０の並設方向は全く同じである必要はなく、たとえば、シリンドリカルレンズ２２０とプリズム２３０とがなす角が１０°以内であれば、上述の広視野角を得ることができる。なお、シリンドリカルレンズ２２０とプリズム２３０とがなす角度が３°以上あれば、モアレの発生を防止できる。
【００７４】
なお、コリメート層２５内の複数のプリズム２４０は、プリズム層２３の複数のプリズム２３０の間に充填されるため、その頂部が表面に露出しない。また、レンチキュラレンズ層２２を構成するシリンドリカルレンズ２２０の頂部表面は曲面である。そのため、従来のプリズムシートの頂部のように製造及び搬送時に傷が発生しにくく、頂部を保護するための保護シートは不要である。
【００７５】
本実施の形態ではバックライト１０を直下型としたが、エッジライト型にしてもよい。
【００７６】
図３及び４では、複数のシリンドリカルレンズ２２０の各々を互いに接触させたが、隣り合うシリンドリカルレンズ２２０の間に隙間を設けてもよい。同様に、隣り合うプリズム２４０の間に隙間を設けてもよい。また、プリズム２３０及び２４０の横断面形状を三角形としたが、台形でもよい。また、プリズム２３０及び２４０の頂上が丸みを帯びていてもよい。
【実施例】
【００７７】
表１に示す形状及び屈折率を有する試験番号１〜８のレンズシートを準備した。
【表１】
2009103763.tif 000003
試験番号１〜６は、図３及び図４に示す形状のレンズシートであった。これらのレンズシートを以下の方法で製造した。
【００７８】
複数のプリズム転写用溝が軸方向に配列された表面を有するプリズム用ロール版を準備した。ベースフィルムとして、厚さ１８８μｍ、屈折率（ｎ２１）＝１．６のポリエチレンテレフタレート（ＰＥＴ）フィルムを準備した。ロール版にプリズム層用の紫外線硬化樹脂を充填した。そして、ロール版をＰＥＴフィルムの表面に押し当てることにより、紫外線硬化樹脂を転写した。紫外線を照射することにより転写された紫外線硬化樹脂を硬化させ、プリズム層を形成した。
【００７９】
続いて、充填層を作製した。まず、表面が平滑なロール版を準備した。ロール版に充填層用の紫外線硬化樹脂を塗布し、表面に紫外線硬化樹脂が塗布されたロール版をプリズム層の表面に押し当てて、紫外線硬化樹脂を転写した。紫外線を照射することにより、転写された紫外線硬化樹脂を硬化させ、充填層を形成した。
【００８０】
以上の工程によりベースフィルム上にコリメート層を形成した後、コリメート層が形成された表面の反対側のベースフィルムの表面に、レンチキュラレンズ層を形成した。シリンドリカルレンズ転写用溝が軸方向に配列された表面を有するレンチキュラレンズ用ロール版を準備した。レンチキュラレンズ層用の紫外線硬化樹脂をレンチキュラレンズ用ロール版の転写用溝に充填し、ＰＥＴフィルム表面上に転写した。転写された紫外線硬化樹脂に紫外線を照射し硬化させ、レンチキュラレンズ層を形成した。
【００８１】
以上の製造方法で製造された試験番号１のプリズム層のプリズムの横断形状は二等辺三角形であり、その頂角は１１０°であり、底辺は５０μｍであった。また、互いに隣り合うプリズムの頂点間距離、すなわち、プリズム間ピッチは５０μｍであった。各プリズムの高さは、長手方向に１０．５μｍ〜１７．５μｍの範囲で周期的に変化した。さらに、同一横断面上での各プリズムの高さは、互いに異なっていた。充填層のプリズムの稜線は、直線ではなく、プリズムの並設方向に振動する曲線であった。
【００８２】
各シリンドリカルレンズの横断面形状は長軸の端点を頂点とする楕円弧であり、頂点での曲率半径１３μｍ、長軸径１３８μｍ、短軸径６０μｍであった。また、レンズエッジから凸面の頂上までの高さが２２．３μｍ、凸面とレンズエッジを含む面とがなす角度（以下、接触角という）が６８°、隣り合うシリンドリカルレンズの頂上間の距離、すなわち、シリンドリカルレンズ間ピッチが４８μｍであった。また、隣り合うシリンドリカルレンズの間には平坦な隙間があり、その隙間幅は３．８μｍであった。シリンドリカルレンズの並設方向は、プリズム層のプリズムの並設方向と同じであった。
【００８３】
形成されたプリズム層の屈折率は１．４９であり、充填層の屈折率（＝１．５６）及びレンチキュラレンズ層の屈折率（＝１．５６）よりも低かった。
【００８４】
試験番号２のプリズム層のプリズムは、試験番号１と異なり、一定の高さ（１６μｍ）であった。また、プリズム底辺は２３μｍ、プリズム間ピッチは２３μｍとした。このため、プリズム間ピッチ（＝２３μｍ）とシリンドリカルレンズ間ピッチ（＝４８μｍ）とは、互いに素の関係となった。その他の構成は、試験番号１と同じであった。
【００８５】
試験番号３のプリズム層には、６．５μｍの高さと１３μｍのプリズム底辺とを有する複数の第１のプリズムと、１１．５μｍの高さと２３μｍのプリズム底辺とを有する複数の第２のプリズムと、１６．５μｍの高さと３３μｍのプリズム底辺とを有する複数の第３のプリズムとが形成された。これらのプリズムは互いに並設されているが、その配列順は不規則であった。なお、いずれのプリズムも頂角は９０°であった。その他の構成は試験番号１と同じであった。
【００８６】
試験番号４の充填層には、充填層用の紫外線硬化樹脂１００重量部に対してフィラを１重量部含有した。フィラは酸化チタンからなり、平均粒子径は０．５μｍであった。また、プリズム層のプリズムの頂角は９０°であり、プリズム高さは２５μｍで一定であった。その他の構成は試験番号１と同じであった。
【００８７】
試験番号５のレンズシートでは、シリンドリカルレンズの並設方向とプリズムの並設方向とが交差した。具体的には、シリンドリカルレンズの並設方向とプリズムの並設方向とがなす角度が５°であった。また、プリズムの高さは１７．５μｍで一定であった。その他の構成は試験番号１と同じであった。
【００８８】
試験番号６のレンズシートは、試験番号５と比較して、シリンドリカルレンズの並設方向がプリズムの並設方向と同じであった。その他の構成は試験番号５と同じであった。
【００８９】
試験番号７では、上述の試験番号１〜６と異なり、８０％のヘイズを有する２枚の拡散シートを積層した。また、試験番号８では、プリズムシートの上に、拡散シートを敷設した。プリズムシートの屈折率は１．５６であり、頂角が１１０°、底辺は５０μｍ、プリズム間ピッチは５０μｍ、各プリズムの高さが１７．５μｍであった。また、拡散シートのヘイズは８０％であった。要するに、試験番号７及び８は、２枚のレンズシートを組合せたものとした。
【００９０】
［輝度の視野角依存性及び１／３視野角の調査］
試験番号１〜８のレンズシートを用いて輝度の視野角依存性を調査した。
【００９１】
内部に１６本の外部電極陰極管を収納した筐体と、表１に示すとおり６５％の全光線透過率とを有する拡散板とを備える面光源を複数準備した。
【００９２】
各面光源上に、試験番号１〜８のレンズシートをそれぞれ敷設して、試験番号１〜８のバックライトを製造した。試験番号１〜８の各バックライト上に、ＩＰＳ方式の液晶パネルを敷設して、試験番号１〜８の液晶表示装置を製造した。
【００９３】
製造された液晶表示装置を白色表示した場合の、液晶表示装置の上下方向及び左右方向の視野角依存性を調査した。視野角は、表示画面の法線方向（正面）を０ｄｅｇ軸とし、０ｄｅｇ軸から上下方向への傾き角を上下視野角、左右方向への傾き角を左右視野角とした。左右方向のうち、法線から右方向への傾き角をプラス（＋）で示し、左方向への傾き角をマイナス（−）とした。同様に、上下視野角のうち、法線から上方向への傾き角をプラスで示し、下方向への傾き角をマイナスで示した。
【００９４】
さらに、各試験番号について、上下方向及び左右方向の１／３視野角を以下の方法で求めた。まず、図７及び図１４〜図２０に示すように、各試験番号１〜８の輝度の視野角依存性のグラフを作成した。表１に示すとおり、図７は試験番号１の輝度の視野角依存性のグラフであり、図１４〜図２０は、それぞれ試験番号２〜８の視野角依存性のグラフである。グラフの横軸は視野角を示す。また、縦軸は、試験番号７で得られた正面輝度に対する各視野角での輝度の比（以下、相対輝度という）である。図中の実線は左右方向の輝度の視野角依存性を示し、破線は上下方向の輝度の視野角依存性を示す。
【００９５】
図７及び図１４〜図２０に示す上下及び左右方向の輝度の視野角依存性のうち、輝度が正面輝度の１／３以上となる視野角範囲を求め、求めた視野角範囲を１／３上下視野角、１／３左右視野角とした。
【００９６】
［輝度ムラ及びモアレの調査］
輝度ムラ及びモアレは、以下の方法で評価した。上述の試験番号１〜８の液晶表示装置を用いて、表示画面上に輝度ムラ及びモアレが発生しているか否かを、目視により評価した。
【００９７】
［調査結果］
調査結果を表１に示す。表１中の「輝度ムラ」及び「モアレ」項目中の「無し」は、輝度ムラ、モアレが目視では確認できなかったことを示し、「有り」は目視で確認されたことを示す。
【００９８】
表１を参照して、試験番号１〜６の左右視野角はいずれも１２０ｄｅｇ以上であった。また、試験番号１〜６では、輝度ムラは発生しなかった。また、図７、図１４〜図１８を参照して、サイドローブの発生も抑えられた。また、正面輝度は、試験番号７（２枚の拡散シートを積層）とほぼ同じであった。
【００９９】
さらに、試験番号１は、充填層のプリズムの稜線が蛇行していたため、モアレが発生しなかった。また、試験番号２は、プリズム層のプリズムのピッチとシリンドリカルレンズのピッチとが異なっており、互いに素の関係であっため、モアレが発生しなかった。試験番号３は、プリズム層のプリズムにおいて、配列ピッチが不均一であったため、モアレが発生しなかった。試験番号４は、充填層がフィラを含有したため、モアレが発生しなかった。試験番号５は、シリンドリカルレンズとプリズムと交差していたため、モアレが発生しなかった。
【０１００】
一方、試験番号６は、モアレが観測された。また、試験番号７及び８は、左右視野角が１２０ｄｅｇ未満であり、輝度ムラが観察された。
【０１０１】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【０１０２】
【図１】本発明の実施の形態によるレンズシートを備えた表示装置の斜視図である。
【図２】図１中の線分ＩＩ−ＩＩでの断面図である。
【図３】本発明の実施の形態によるレンズシートの斜視図である。
【図４】図３中の線分ＩＶ−ＩＶでの断面図である。
【図５Ａ】図３中のレンチキュラレンズ層と異なる他のレンチキュラレンズ層の横断面図である。
【図５Ｂ】図３及び図５Ａのレンチキュラレンズ層と異なる他のレンチキュラレンズ層の横断面図である。
【図６Ａ】プリズムシートに入射された光線の軌跡を説明するための模式図である。
【図６Ｂ】図４中のコリメート層に入射された光線の軌跡を説明するための模式図である。
【図６Ｃ】図４中のレンチキュラレンズ層に入射された光の軌跡を説明するための模式図である。
【図７】図３に示すレンズシートの輝度の視野角依存性の一例を示す図である。
【図８】図４と異なる他のレンズシートの断面図である。
【図９Ａ】図４及び図８と異なる他のレンズシートのコリメート層の上面図である。
【図９Ｂ】図８中の線分ＩＸＢ−ＩＸＢでの断面図である。
【図１０】図４，図８及び図９と異なる他のレンズシートの断面図である。
【図１１】図４及び図８〜図１０と異なる他のレンズシートの断面図である。
【図１２Ａ】図３に示したレンズシートを製造するためのプリズム用ロール版の斜視図である。
【図１２Ｂ】図１１Ａに示したロールの一部の例を示す図である。
【図１２Ｃ】図１１Ｂと異なるロールの一部の例を示す図である。
【図１３Ａ】図３に示したレンズシートを製造するためのレンチキュラレンズ用ロール版の斜視図である。
【図１３Ｂ】図１２Ａに示したロールの一部の例を示す図である。
【図１４】本実施例における試験番号２のレンズシートの輝度の視野角依存性を示す図である。
【図１５】本実施例における試験番号３のレンズシートの輝度の視野角依存性を示す図である。
【図１６】本実施例における試験番号４のレンズシートの輝度の視野角依存性を示す図である。
【図１７】本実施例における試験番号５のレンズシートの輝度の視野角依存性を示す図である。
【図１８】本実施例における試験番号６のレンズシートの輝度の視野角依存性を示す図である。
【図１９】本実施例における試験番号７のレンズシートの輝度の視野角依存性を示す図である。
【図２０】本実施例における試験番号８のレンズシートの輝度の視野角依存性を示す図である。
【図２１】従来のプリズムシートの斜視図である。
【図２２】図２１中の線分ＸＸＩＩ−ＸＸＩＩでの断面図である。
【図２３】図２１に示したプリズムシートの輝度角度分布図である。
【符号の説明】
【０１０３】
１  液晶表示装置
１０  バックライト
１１  ハウジング
１２  蛍光管
１３  光拡散板
１６  面光源
１７  レンズシート
２０  液晶パネル
２１  ベースフィルム
２２  レンチキュラレンズ層
２３  プリズム層
２４  充填層
２２０  シリンドリカルレンズ
２３０，２４０  プリズム
【図１】
2009103763.tif 000004
【図２】
2009103763.tif 000005
【図３】
2009103763.tif 000006
【図４】
2009103763.tif 000007
【図５Ａ】
2009103763.tif 000008
【図５Ｂ】
2009103763.tif 000009
【図６Ａ】
2009103763.tif 000010
【図６Ｂ】
2009103763.tif 000011
【図６Ｃ】
2009103763.tif 000012
【図７】
2009103763.tif 000013
【図８】
2009103763.tif 000014
【図９Ａ】
2009103763.tif 000015
【図９Ｂ】
2009103763.tif 000016
【図１０】
2009103763.tif 000017
【図１１】
2009103763.tif 000018
【図１２Ａ】
2009103763.tif 000019
【図１２Ｂ】
2009103763.tif 000020
【図１２Ｃ】
2009103763.tif 000021
【図１３Ａ】
2009103763.tif 000022
【図１３Ｂ】
2009103763.tif 000023
【図１４】
2009103763.tif 000024
【図１５】
2009103763.tif 000025
【図１６】
2009103763.tif 000026
【図１７】
2009103763.tif 000027
【図１８】
2009103763.tif 000028
【図１９】
2009103763.tif 000029
【図２０】
2009103763.tif 000030
【図２１】
2009103763.tif 000031
【図２２】
2009103763.tif 000032
【図２３】
2009103763.tif 000033